(57)【要約】【課題】今日のユニバーサルデザインとして手摺を設けたエレベータに相応しいエレベータのかご内手摺装置を得る。【解決手段】かごの壁１面に近接又は接触して取り付けられ、上面が幅４０ｍｍ以上の平面又は緩やかな曲面を有する手摺１５を備える。また、かごの壁面に取り付けられた複数の支持具１１と、支持具の前端部に上方に向かって突出して設けられた突部１３と、突部の背面とかごの壁面との間の支持具の上面に橋渡し状態に載置され、上面が幅４０ｍｍ以上の平面又は緩やかな曲面を有する手摺１５とを備える。【選択図】図１
2008280164.tif 000002
【特許請求の範囲】
【請求項１】
かごの壁面に近接又は接触して取り付けられ、上面が幅４０ｍｍ以上の平面又は緩やかな曲面を有する手摺を備えたことを特徴とするエレベータのかご内手摺装置。
【請求項２】
手摺の上面に対して一部が突出した突部を設けたことを特徴とする請求項１記載のエレベータのかご内手摺装置。
【請求項３】
かごの壁面に取り付けられた複数の支持具と、
前記支持具の前端部に上方に向かって突出して設けられた突部と、
前記突部の背面と前記かごの壁面との間の前記支持具の上面に橋渡し状態に載置され、上面が幅４０ｍｍ以上の平面又は緩やかな曲面を有する手摺と、
を備えたことを特徴とするエレベータのかご内手摺装置。
【請求項４】
突部は、手摺の上面に対して一部が３０度以上の面を有する立上がり面を有することを特徴とする請求項２又は請求項３記載のエレベータのかご内手摺装置。
【請求項５】
かごの壁面に取り付けられた複数の支持具と、
前記支持具の上面に橋渡し状態に載置され、上面が幅４０ｍｍ以上の平面又は緩やかな曲面を有する手摺と、
前記手摺の上面に前記支持具と同じ間隔で上方に向かって突出するように設けられた突部と、
を備えたことを特徴とするエレベータのかご内手摺装置。
【請求項６】
突部は、縦型の円柱状に形成され、下端部が手摺の上面に取り付けられ、上端部が前記下端部よりも大きい径で形成されていることを特徴とする請求項５記載のエレベータのかご内手摺装置。
【請求項７】
突部は、蒲鉾状に形成され、下端部が手摺の上面に取り付けられ、上端の一部に凹部を設けたことを特徴とする請求項５記載のエレベータのかご内手摺装置。
【発明の詳細な説明】
【技術分野】
【０００１】
この発明は、かごの壁面から突出して設けられるエレベータのかご内手摺装置に関するものである。
【背景技術】
【０００２】
従来、例えばエレベータのかご内壁に配設され使用される手摺としては、かごの壁のかご内側に配置された支持具と、この支持具の前端寄りに配置された手摺棒と、支持具に下側から挿通されて手摺棒にねじ込まれた取付ねじと、かご内から支持具に挿通されて頭部が支持具のかご内に開口した孔に埋没状態に配置され、壁に締結された締結ねじとを備えたエレベータのかご内手摺装置が知られている（例えば、特許文献１参照）。
また、一般的には市販パイプをブラケットと呼ばれる固定金具で取り付けている方法がある。また、病院用などでは板を立てた状態で壁に取り付け、手摺にする方法を行っている。
【０００３】
【特許文献１】特開平７−９７１６３号公報
【発明の開示】
【発明が解決しようとする課題】
【０００４】
上記のような従来のエレベータかご内手摺装置では、使用者が握ることを前提としているため、例えば握力のない高齢者が寄りかかる形で使うには使いづらく、また棒状やパイプ状なので身障者が手摺伝いにかご室入り口からかご室奥へ体を引き寄せながら進もうとしても滑ってしまうことがある。また健常者の使用を想定すると、例えばスーパーなどで手摺のパイプと壁との間に幼児が手を突っ込んで抜けなくなる恐れがあったり、買い物に疲れて、成人がパイプ面に手をつくと、円筒形状であるため、不安定となる恐れがあった。また百貨店などでエレベータ乗車時間にかばんの中のものを探そうとしても、荷物の置き場がなく、エレベータに乗っている間の利便性が低くなってしまう。その上、最上階から下り運転のかごに乗るとほぼ各階停止となり、スーパーと異なりカートがないため自分で荷物を持ったまま１階まで耐えなくてはいけないなどの問題があった。
【０００５】
この発明は上記のような課題を解決するためになされたもので、今日のユニバーサルデザインとして手摺を設けたエレベータに相応しいエレベータのかご内手摺装置を得ることを目的としている。
【課題を解決するための手段】
【０００６】
この発明に係るエレベータのかご内手摺装置においては、かごの壁面に近接又は接触して取り付けられ、上面が幅４０ｍｍ以上の平面又は緩やかな曲面を有する手摺を備えたものである。
【０００７】
また、かごの壁面に取り付けられた複数の支持具と、支持具の前端部に上方に向かって突出して設けられた突部と、突部の背面とかごの壁面との間の支持具の上面に橋渡し状態に載置され、上面が幅４０ｍｍ以上の平面又は緩やかな曲面を有する手摺とを備えたものである。
【０００８】
また、かごの壁面に取り付けられた複数の支持具と、支持具の上面に橋渡し状態に載置され、上面が幅４０ｍｍ以上の平面又は緩やかな曲面を有する手摺と、手摺の上面に支持具と同じ間隔で上方に向かって突出するように設けられた突部とを備えたものである。
【発明の効果】
【０００９】
この発明によれば、かごの壁面に近接又は接触して取り付けられ、上面が幅４０ｍｍ以上の平面又は緩やかな曲面を有する手摺を備えたので、例えば握力のない高齢者がよりかかる形で使うにも使い易い。また健常者の使用を想定すると、例えばスーパーなどでは手摺と壁の問に隙間がないため、幼児が手を突っ込んで抜けなくなるといった問題が起きない。また買い物に疲れた成人が手摺面に手をついても、手が滑ってしまうことがない。また百貨店などでエレベータ乗車時間にかばんの中のものを探そうとしても、荷物の置き場になるため、エレベータに乗っている間の利便性が高くなる。安全性を向上させ、しかも所定の目的である弱者の姿勢安定と利用者の利便性の向上を達成し、しかも安価に製造できるメリットを持つ。
【発明を実施するための最良の形態】
【００１０】
実施の形態１.
図１はこの発明の実施の形態１におけるエレベータのかご内手摺装置を示す縦断面図、図２はこの発明の実施の形態１におけるエレベータのかご内手摺装置を示す斜視図、図３はこの発明の実施の形態１におけるエレベータのかご内手摺装置を使用する人の姿勢例１を示すかご内斜視図、図４は同じくエレベータのかご内手摺装置を使用する人の姿勢例２を示すかご内斜視図、図５は同じくエレベータのかご内手摺装置に寄りかかる人が手を置いた状態を示す拡大斜視図、図６は同じくエレベータのかご内手摺装置に手荷物を置いた状態を示す拡大斜視図、図７は同じくエレベータのかご内手摺装置に手荷物をぶら下げた状態を示す拡大斜視図、図８はこの発明の実施の形態１におけるエレベータのかご内手摺装置の立ち上がり面の変形例を示す図１相当図である。
【００１１】
図において、１１はかごの壁１面に下部正面より取付ねじ１２を用いて取り付けられた複数の支持具で、前端部に上方に向かって突出して指等がかかり易くした突部１３を有している。この突部１３は前面及び上面が丸みを持ったほぼ半球状に形成されており、背面は頂部からほぼ垂直（９０度）に切り取られた垂直の立ち上がり面が形成されている。１４は突部１３の背面とかごの壁１との間に設けられた支持具１１の水平支持面である。１５は支持具１１の水平支持面１４の上面に橋渡し状態に載置された手摺で、かごの壁１に近接又は接触しており、上面は幅４０ｍｍ以上の水平載置面を形成している。１６は支持具１１の下方よりねじ込まれて手摺１５を取り付け固定する取付ねじである。
【００１２】
次に、動作について説明する。
まず複数の支持具１１をエレベータかご内の壁１面に取付ねじ１２を用いて取り付ける。次に、手摺１５を上方から、あるいは回転またはスライドさせて、複数の支持具１１間に橋渡し状態となるようにして水平支持面１４上に載置し、下方から取付ねじ１６を用いて支持具１１に締結する。
【００１３】
次に、エレベータのかごとして見た場合は、一般的に弱者と呼ばれる高齢者や身体に障害のある身障者の方々は、多くの場合脚力に問題があり、歩行がままならない。そのため手摺や杖の使用を日常的に行っている。それら弱者の方々がエレベータを使用する場合、例えば、図３、図４に示すのように、かご内に入ってとりあえず手摺１５に向かい、姿勢の安定を図るために手摺１５に寄りかかると共に安定する位置まで体を引き寄せた上で、使用中は手摺１５に寄りかかることになる。
【００１４】
一般的に弱者が手摺１５に掴まると考えられているが、当然高齢者が一般健常者に比べ握力が向上しているわけは無く、掴まることは難しい。従って、図５に示すように、手摺１５に握るためのパイプ形状は必要なく、むしろ握力が無くとも寄りかかることができる平面または緩やかな曲面が望ましい。手摺１５はそのために最低４０ｍｍ以上の幅を確保しておくことが望ましい。
【００１５】
また、障害の有無にかかわらず、握力に頼らず体を引き寄せるには、指がかかることが重要であり、そのための手摺１５の水平載置面に対して一部が突出した突部１３が必要である。図１では支持具１１の前端部に上方に向かって突出して指等がかかり易くした突部１３を構成しているが、支持具一体型である必要はなく、手摺１５に別体のものを取り付けた別部品構成であっても、手摺１５自体に凸凹を設けたものであっても構わない。
【００１６】
また、障害の有無にかかわらず、乗降する他の利用者の中で手荷物を持って姿勢を安定させておくことは困難であり、手荷物の内容物を取り出す場合、両手が塞がり、著しく安定が困難になることから、図１では支持具１１の突部１３は、手荷物を手摺１５上に載せた時、図６に示すように、ずり落ちなどの落下を防ぐことができるし、あるいは図７に示すように、手荷物の取っ手の部分を引っ掛けてぶら下げるなどの利用が可能である。
図７のように手荷物の取っ手の部分をぶら下げるには、支持具１１の突部１３の手摺面に対する立ち上がり面が水平に対して、垂直面（９０度）で構成されていることで、手荷物をぶら下げるなどの利用が可能である。また、手摺１５に取り付けている別部品で立ち上がり面を構成している場合でも、同様の立ち上がり面を有することで、手荷物をぶら下げるなどの利用が可能である。また、立ち上がり面は手荷物の取っ手部分がずり上がり、落下することを防いでいる。この機能を強化するため、立ち上がり部分表面を摩擦係数を増やす処理、例えば物理的粗面化を施したり、クロロプレンやシリコンなどのゴム質のものや軟質塩ビなどをコーティングするなどの処理を施してもよい。また、立ち上がり面は垂直面で示したが、図８に示すように、水平に対して、３０度以上の面であってもよい。
【００１７】
また、一般的なパイプ手摺ではショッピングセンターなどで幼児がよじ登り、腕を手摺と壁との隙間に押し込んで抜けなくなるということが心配されるが、この発明は隙間がほとんど無いので、その心配はない。
【００１８】
また、支持具はどの手摺も一般的に鋳物などで製造しており、同様の製造方法でよい。また手摺部分は一般材からの切り出しあるいはパイプを使用できることから特に一般的な手摺とコストが変わることなく、上記作用と効果が得られ工業生産に向いており、安価に良質な製品を提供することができる。
【００１９】
実施の形態２．
図９はこの発明の実施の形態２におけるエレベータのかご内手摺装置を示す縦断面図、図１０はこの発明の実施の形態２におけるエレベータのかご内手摺装置を示す斜視図である。
【００２０】
図において、２１はかごの壁１面に下部正面より取付ねじ２２を用いて取り付けられた複数の支持具で、上面を水平支持面としている。２５は支持具２１の水平支持面の上面に橋渡し状態に載置された手摺で、かごの壁１に近接又は接触しており、上面は幅４０ｍｍ以上の水平載置面を形成している。２３は手摺２５の上面に複数の支持具２１と同じ間隔で突出するように設けられた手摺２５や支持具２１とは別部品からなる複数の突部で、縦型円柱状に形成され、根元よりも先端が膨らんでいる。２６は支持具２１の下方よりねじ込まれて手摺２５及び複数の突部２３を支持具２１に取り付け固定する取付ねじである。
【００２１】
図９のように構成された実施の形態２のエレベータのかご内手摺装置においても、上側に幅４０ｍｍ以上の平面を有する手摺２５を支持具２１の上側から取り付けられ、下側から締結された取付ねじ２６を備えたことを特徴とするため、例えば握力のない高齢者が寄りかかる形で使うにも使い易い。また障害の有無にかかわらず、握力に頼らず体を引き寄せるには、指がかかることが重要であり、そのための手摺面から立ち上がった面が手摺２５や支持具２１とは別部品からなる突部２３で構成されている。手摺や支持具と別部品の突部２３は手荷物を載せ、ずり落ちなどの落下を防ぐことができるし、あるいは手荷物の取っ手の部分をぶら下げるなどの利用が可能である。手摺や支持具と別部品の突部２３は、根元よりも先端が膨らんでいるため手荷物の取っ手の部分をぶら下げた際もずり落ちを防ぐことができる。また取っ手がかかる部分に摩擦係数を増す加工を施すことにより、指をかける際にも滑りが起こりにくくなるため効果が一層高くなる。また手摺や支持具と別部品の突部２３は、取付ねじ２６を用いて取り付けることで、必要な箇所へ取り付けることができる。また一般的なパイプ手摺ではショッピングセンターなどで幼児がよじ登り、腕を手摺隙間に押し込んで抜けなくなるということが心配されるが、この実施の形態２においても隙間がほとんど無いので、その心配はない。したがって、実施の形態２においても、上記実施の形態１と同様な作用が得られることは明白である。
【００２２】
実施の形態３．
図１１はこの発明の実施の形態３におけるエレベータのかご内手摺装置を示す縦断面図、図１２はこの発明の実施の形態３におけるエレベータのかご内手摺装置を示す斜視図である。なお、図中、実施の形態１と同一又は相当部分には同一符号を付して説明を省略する。
【００２３】
上記実施の形態１では、突部１３は前面及び上面が丸みを持ったほぼ半球状に形成されており、背面は頂部からほぼ垂直（９０度）に切り取られた垂直の立ち上がり面が形成されているが、この実施の形態３においては、突部１３の背面の一部を階段状に形成したものである。
【００２４】
図１１のように構成された実施の形態３のエレベータのかご内手摺装置においても、上側に幅４０ｍｍ以上の平面を有する手摺１５を支持具１１の上側から取り付けられ、下側から締結された取付ねじ１６を備えたことを特徴とするため、例えば握力のない高齢者が寄りかかる形で使うにも使い易い。また障害の有無にかかわらず、握力に頼らず体を引き寄せるには、指がかかることが重要であり、そのための手摺面に対して一部が突出した突部を有する。支持具１１の突部１３は手荷物を載せ、ずり落ちなどの落下を防ぐことができるし、あるいは手荷物の取っ手の部分をぶら下げるなどの利用が可能である。また、支持具１１の突部１３の階段状凸凹部は指を掛ける際にも、手荷物の取っ手を掛ける際にも摩擦係数を増し、効果を一層高くする。この部分に摩擦係数を高くするような加工としてゴム質のシリコン・クロロプレン・モルトプレン・軟質塩ビなどを加えて、もう少し微細な粗面化を施してもよい。また一般的なパイプ手摺ではショッピングセンターなどで幼児がよじ登り、腕を手摺隙間に押し込んで抜けなくなるということが心配されるが、この実施の形態３においても隙間がほとんど無いので、心配はない。したがって、この実施の形態３においても上記実施の形態１と同様な作用が得られることは明白である。なお、立ち上がり面は垂直面で示したが３０度以上の面でもよい。
【００２５】
実施の形態４．
図１３はこの発明の実施の形態４におけるエレベータのかご内手摺装置を示す縦断面図、図１４はこの発明の実施の形態４におけるエレベータのかご内手摺装置を示す斜視図である。
【００２６】
図において、３１はかごの壁１面に下部正面より取付ねじ３２を用いて取り付けられた複数の支持具で、上面を水平支持面としている。３５は支持具３１の水平支持面の上面に橋渡し状態に載置された手摺で、かごの壁１に近接又は接触しており、上面は幅４０ｍｍ以上の水平載置面を形成している。３３は手摺３５の上面に複数の支持具３１と同じ間隔で突出するように設けられた手摺３５や支持具３１とは別部品からなる複数の突部で、蒲鉾形状であり上面の一部を抉り取って凹部３７を設けている。３６は支持具３１の下方よりねじ込まれて手摺３５及び複数の突部３３を支持具３１に取り付け固定する取付ねじである。
【００２７】
図１３のように構成された実施の形態４のエレベータのかご内手摺装置においても、上側に幅４０ｍｍ以上の平面を有する手摺３５を支持具３１の上側から取り付けられ、下側から締結された取付ねじを備えたことを特徴とするため、例えば握力のない高齢者が寄りかかる形で使うにも使い易い。また障害の有無にかかわらず、握力に頼らず体を引き寄せるには、指がかかることが重要であり、そのための手摺面から立ち上がった面が支持具３５や手摺３５とは別部品からなる突部３３で構成されている。手摺や支持具とは別部品からなる突部３３の凹部３７は手荷物の取っ手の部分をぶら下げるなどの利用が可能である。また一般的なパイプ手摺ではショッピングセンターなどで幼児がよじ登り、腕を手摺隙間に押し込んで抜けなくなるということが心配されるが、この実施の形態４においても隙間がほとんど無いので、心配はない。したがって、この実施の形態１においても上記実施の形態１と同様な作用が得られることは明白である。
【図面の簡単な説明】
【００２８】
【図１】この発明の実施の形態１におけるエレベータのかご内手摺装置を示す縦断面図である。
【図２】この発明の実施の形態１におけるエレベータのかご内手摺装置を示す斜視図である。
【図３】この発明の実施の形態１におけるエレベータのかご内手摺装置を使用する人の姿勢例１を示すかご内斜視図である。
【図４】この発明の実施の形態１におけるエレベータのかご内手摺装置を使用する人の姿勢例２を示すかご内斜視図である。
【図５】この発明の実施の形態１におけるエレベータのかご内手摺装置に寄りかかる人が手を置いた状態を示す拡大斜視図である。
【図６】この発明の実施の形態１におけるエレベータのかご内手摺装置に手荷物を置いた状態を示す拡大斜視図である。
【図７】この発明の実施の形態１におけるエレベータのかご内手摺装置に手荷物をぶら下げた状態を示す拡大斜視図である。
【図８】この発明の実施の形態１におけるエレベータのかご内手摺装置の立ち上がり面の変形例を示す図１相当図である。
【図９】この発明の実施の形態２におけるエレベータのかご内手摺装置を示す縦断面図である。
【図１０】この発明の実施の形態２におけるエレベータのかご内手摺装置を示す斜視図である。
【図１１】この発明の実施の形態３におけるエレベータのかご内手摺装置を示す縦断面図である。
【図１２】この発明の実施の形態３におけるエレベータのかご内手摺装置を示す斜視図である。
【図１３】この発明の実施の形態４におけるエレベータのかご内手摺装置を示す縦断面図である。
【図１４】この発明の実施の形態４におけるエレベータのかご内手摺装置を示す斜視図である。
【符号の説明】
【００２９】
１  かごの壁
１１、２１、３１  支持具
１２、２２、３２  取付ねじ
１３、２３、３３  突部
１４  水平支持面
１５、２５、３５  手摺
１６、２６、３６  取付ねじ
３７  凹部
【図１】
2008280164.tif 000003
【図２】
2008280164.tif 000004
【図３】
2008280164.tif 000005
【図４】
2008280164.tif 000006
【図５】
2008280164.tif 000007
【図６】
2008280164.tif 000008
【図７】
2008280164.tif 000009
【図８】
2008280164.tif 000010
【図９】
2008280164.tif 000011
【図１０】
2008280164.tif 000012
【図１１】
2008280164.tif 000013
【図１２】
2008280164.tif 000014
【図１３】
2008280164.tif 000015
【図１４】
2008280164.tif 000016